(57)【特許請求の範囲】
【請求項１】
少なくとも第一部品（Ａ）と第二部品（Ｂ）とを互いに連結可能な迅速締結具（１）であって、
ａ． 第二部品（Ｂ）に締結可能な、第一螺旋方向の締結ネジ（１２）を有する締結ボルト（１０）と、
ｂ． 第一部品（Ａ）に締結可能で、前記第一螺旋方向とは反対の第二螺旋方向の付勢ネジを半径方向内側面に有する圧縮可能付勢エレメント（３）と、
ｃ． 半径方向外側面の雄ネジを圧縮可能付勢エレメント（３）の付勢ネジ内に螺合可能で、内部に締結ボルトの締結ネジを螺合可能な雌ネジを半径方向内側面に有する駆動手段を備える中空円筒状ネジエレメント（６０）とを特徴として備え、
ｄ． 中空円筒状ネジエレメント（６０）と圧縮可能付勢エレメント（３）との間に、少なくとも一つの構造的回転防止手段（３０、３４、３６）を備え、該少なくとも一つの構造的回転防止手段（３０、３４、３６）として、
ｄ１．圧縮可能付勢エレメント（３）と中空円筒状ネジエレメント（６０）との間に、第一部品（Ａ）と第二部品（Ｂ）との締結状態を固定可能な、解除可能な留め機構を備え、前記圧縮可能付勢エレメント（３）が、中空円筒状ネジエレメント（６０）の軸方向に延在するロックアーム（７０）を内部にロック可能な、半径方向外側に配置された凹部を備え、及び／又は
ｄ２．前記圧縮可能付勢エレメント（３）が、半径方向外側に配置されて、中空円筒状ネジエレメント（６０）の軸方向に延在するロックアーム（７０）との間に摩擦連結を生じ得る隆起部（３５）を備え、該摩擦連結は解除可能であり、及び／又は
ｄ３．前記圧縮可能付勢エレメント（３）が、中空円筒状ネジエレメント（６０）に隣接する端面に設けた凹部（３７）を備え、中空円筒状ネジエレメント（６０）が、対応するリブ（６９）を備え、それにより、圧縮可能付勢エレメント（３）と中空円筒状ネジエレメント（６０）との第一回転方向への相対回転をブロックし、圧縮可能付勢エレメント（３）と中空円筒状ネジエレメント（６０）との第一回転方向とは反対の第二回転方向への相対回転を防止する、迅速締結具（１）。
【請求項２】
少なくとも第一部品（Ａ）と第二部品（Ｂ）とを互いに連結可能な迅速締結具（１）であって、第二部品（Ｂ）は、第一螺旋方向の締結ネジ（１２）を有する締結ボルト（１０）を備え、
ａ． 第一部品（Ａ）に締結可能で、第一螺旋方向とは反対の第二螺旋方向の付勢ネジを半径方向内側面に備える圧縮可能付勢エレメント（３）と、
ｂ． 半径方向外側面の雄ネジ（６２）を圧縮可能付勢エレメント（３）の付勢ネジ内に螺合可能で、内部に締結ボルトの締結ネジを螺合可能な雌ネジを半径方向内側面に有する駆動手段を備える中空円筒状ネジエレメント（６０）とを特徴として備え、
ｃ．中空円筒状ネジエレメント（６０）と圧縮可能付勢エレメント（３）との間に、少なくとも一つの構造的回転防止手段（３０、３４、３６）を備え、該少なくとも一つの構造的回転防止手段（３０、３４、３６）として、
ｄ１．圧縮可能付勢エレメント（３）と中空円筒状ネジエレメント（６０）との間に、第一部品（Ａ）と第二部品（Ｂ）との締結状態を固定可能な、解除可能な留め機構を備え、前記圧縮可能付勢エレメント（３）が、中空円筒状ネジエレメント（６０）の軸方向に延在するロックアーム（７０）を内部にロック可能な、半径方向外側に配置された凹部を備え、及び／又は
ｄ２．前記圧縮可能付勢エレメント（３）が、半径方向外側に配置されて、中空円筒状ネジエレメント（６０）の軸方向に延在するロックアーム（７０）との間に摩擦連結を生じ得る隆起部（３５）を備え、該摩擦連結は解除可能であり、及び／又は
ｄ３．前記圧縮可能付勢エレメント（３）が、中空円筒状ネジエレメント（６０）に隣接する端面に設けた凹部（３７）を備え、中空円筒状ネジエレメント（６０）が、対応するリブ（６９）を備え、それにより、圧縮可能付勢エレメント（３）と中空円筒状ネジエレメント（６０）との第一回転方向への相対回転をブロックし、圧縮可能付勢エレメント（３）と中空円筒状ネジエレメント（６０）との第一回転方向とは反対の第二回転方向への相対回転を防止する、迅速締結具（１）。
【請求項３】
前記中空円筒状ネジエレメント（６０）に、緩み防止手段として固定ディスク（６３）を設けた、請求項１又は２に記載の迅速締結具（１）。
【請求項４】
少なくとも第一部品（Ａ）と第二部品（Ｂ）とを請求項１〜３のいずれか１項に記載の迅速締結具（１）によって連結する方法であって、該方法は、
ａ．第二部品（Ｂ）に、第一螺旋方向の半径方向外側締結ネジを有する締結ボルト（１０）を設ける工程と、
ｂ．第一部品（Ａ）に貫通孔を設けて、第一螺旋方向とは逆の第二螺旋方向の付勢ネジを半径方向内側面に備える圧縮可能付勢エレメント（３）を締結する工程と、
ｃ．締結ボルト（１０）を中空円筒状ネジエレメント（６０）内に螺合する工程とを含み、中空円筒状ネジエレメント（６０）は、駆動手段による回転によって第二部品（Ｂ）を第一部品（Ａ）に締結し、構造的回転防止手段（３０、３４、３６）によって中空円筒状ネジエレメント（６０）を圧縮可能付勢エレメント（３）にロックし、該構造的回転防止手段（３０、３４、３６）として、
ｃ１．圧縮可能付勢エレメント（３）と中空円筒状ネジエレメント（６０）との間に、第一部品（Ａ）と第二部品（Ｂ）との締結状態を固定可能な、解除可能な留め機構を備え、中空円筒状ネジエレメント（６０）の軸方向に延在するロックアーム（７０）が、前記圧縮可能付勢エレメント（３）の半径方向外側に配置された凹部の内部にロックし、及び／又は
ｃ２．  中空円筒状ネジエレメント（６０）の軸方向延在ロックアーム（７０）を、圧縮可能付勢エレメント（３）の半径方向外側に配置された隆起部（３５）を越えて移動させ、ロックアーム（７０）と隆起部（３５）とが、中空円筒状ネジエレメント（６０）の巻き戻りを防ぐ中空円筒状ネジエレメント（６０）のための回転戻り止めを提供し、及び／又は
ｃ３．前記圧縮可能付勢エレメント（３）が、中空円筒状ネジエレメント（６０）に隣接する端面に設けた凹部（３７）を備え、中空円筒状ネジエレメント（６０）が、対応するリブ（６９）を備え、それにより、圧縮可能付勢エレメント（３）と中空円筒状ネジエレメント（６０）との第一回転方向への相対回転をブロックし、圧縮可能付勢エレメント（３）と中空円筒状ネジエレメント（６０）との第一回転方向とは反対の第二回転方向への相対回転を防止する、少なくとも第一部品（Ａ）と第二部品（Ｂ）とを請求項１〜３のいずれか１項に記載の迅速締結具（１）によって連結する方法。
【請求項５】
少なくとも第一部品（Ａ）と第二部品（Ｂ）とを互いに連結可能な迅速締結具（１）の製造方法であって、第二部品（Ｂ）は、第一螺旋方向の締結ネジ（１２）を有する締結ボルト（１０）を備え、前記方法は、
ａ．第一部品（Ａ）に締結可能で、第一螺旋方向とは反対の第二螺旋方向の付勢ネジを半径方向内側面に備える圧縮可能付勢エレメント（３）を用意する工程と、
ｂ．半径方向外側面の雄ネジ（６２）を圧縮可能付勢エレメント（３）の付勢ネジ内に螺合可能で、内部に締結ボルトの締結ネジを螺合可能な雌ネジを半径方向内側面に有する駆動手段を備える中空円筒状ネジエレメント（６０）を製造する工程と、
ｃ．圧縮可能付勢エレメント（３）と中空円筒状ネジエレメント（６０）とを連結し、中空円筒状ネジエレメント（６０）と圧縮可能付勢エレメント（３）との間に構造的回転防止手段（３０、３４、３６）を設ける工程とを含み、該構造的回転防止手段（３０、３４、３６）はさらに、
ｃ１．圧縮可能付勢エレメント（３）に、半径方向外側に配置された凹部を設け、中空円筒状ネジエレメント（６０）に、軸方向に延在するロックアーム（７０）を設け、互いにロックするようにすることによって設けられ、及び／又は
ｃ２．圧縮可能付勢エレメント（３）に、半径方向外側に配置されて、中空円筒状ネジエレメント（６０）の軸方向に延在するロックアーム（７０）との間に解除可能な摩擦連結を生じ得る隆起部（３５）を設けることによって設けられ、及び／又は
ｃ３．圧縮可能付勢エレメント（３）に、中空円筒状ネジエレメント（６０）に隣接する端面において凹部（３７）を設け、中空円筒状ネジエレメント（６０）に、対応するリブ（６９）を設けることによって設けられ、それにより、圧縮可能付勢エレメント（３）と中空円筒状ネジエレメント（６０）との第一回転方向への相対回転をブロックし、圧縮可能付勢エレメント（３）と中空円筒状ネジエレメント（６０）との第一回転方向とは反対の第二回転方向への相対回転を防止する、
迅速締結具（１）の製造方法。
【発明の詳細な説明】
【技術分野】
【０００１】
本発明は、少なくとも第一部品と第二部品とを互いに連結可能な迅速締結具に関する。さらに本発明は、この迅速締結具によって上記部品を連結する方法、並びにこの迅速締結具の製造方法に関する。
【背景技術】
【０００２】
従来技術では、第一部品と第二部品とを互いに連結可能な様々な連結具が知られている。このような連結具は、第一部品と第二部品とを互いに堅固に連結するが、同時に、二つの部品間の軸方向公差補償、若しくは二つの部品間の軸方向及び横方向公差補償を確保することが多い。このような連結具は、例えば米国特許第5,492,388号やドイツ実用新案第20 2007 016 945 U1号に開示されている。
【０００３】
従来技術ではさらに、少なくとも第一部品と第二部品とを互いに連結可能な迅速締結具も開示されている。このために、迅速締結具は、第一部品、例えばカップリングに締結される第一エレメントと、第二部品に連結される第二エレメント、例えばボールヘッドとからなる。第一エレメントと第二エレメントとを組み立てると、第一／第二エレメント間にスナップ係合が生じる。同時にこのスナップ係合は、第一／第二部品間の連結を行なう。このような迅速締結具は、ドイツ特許公開第10 2009 016 755 A1号に記載されている。
【０００４】
ドイツ特許出願公開第10 2011 104 386 A1号は、追加部品を締結するための回転ロック式締結具を開示している。ここで、回転ロック式締結具の各部品は、回転運動により互いに連結される。そして回転ロック式締結具の構成部品は、二つの部品間の連結がなされるように、それぞれ部品に連結される。回転連結の維持は、ネジの摩擦係合がウェーブスプリングのバネ初張力によって支援されるセルフロッキング若しくはセルフタッピングネジによって行なわれる。しかしながら、このような力は、例えば車両の発振や振動に抗するには充分ではない。そのため、成された連結がだめになることがよくあり、その結果として、時間のかかるメンテナンス作業が必要となる。
【先行技術文献】
【特許文献】
【０００５】
【特許文献１】米国特許第5,492,388号
【特許文献２】ドイツ実用新案第20 2007 016 945 U1号
【特許文献３】ドイツ特許出願公開第10 2009 016 755 A1号
【特許文献４】ドイツ特許出願公開第10 2011 104 386 A1号
【発明の概要】
【発明が解決しようとする課題】
【０００６】
従って、本発明の課題は、従来技術よりも信頼性の高い、第一部品と第二部品とを互いに連結可能な迅速締結具を提供することにある。
【課題を解決するための手段】
【０００７】
この課題は、独立請求項１又は２の迅速締結具、独立請求項８の連結方法、並びに独立請求項１１の製造方法によって解決される。本発明の例示的な実施態様は、以下の詳細な説明、添付図面、及び特許請求の範囲から明らかにされる。
【０００８】
少なくとも第一部品と第二部品とを互いに連結可能な本発明の迅速締結具は、第二部品に締結可能な、第一螺旋方向の半径方向外側締結ネジを有する締結ボルトと、第一部品に締結可能で、前記第一螺旋方向とは反対の第二螺旋方向の付勢ネジを半径方向内側面に有する圧縮可能付勢エレメントと、半径方向外側面の雄ネジを圧縮可能付勢エレメントの付勢ネジ内に螺合可能で、内部に締結ボルトの締結ネジを螺合可能な雌ネジを半径方向内側面に有する駆動手段を備える中空円筒状ネジエレメントとを特徴として備え、中空円筒状ネジエレメントと圧縮可能付勢エレメントとの間に、少なくとも一つの構造的回転防止手段を備え、少なくとも一つの構造的回転防止手段として、圧縮可能付勢エレメントと中空円筒状ネジエレメントとの間に、第一部品と第二部品との締結状態を固定可能な、解除可能な留め機構を備え、圧縮可能付勢エレメントが、中空円筒状ネジエレメントの軸方向に延在するロックアームを内部にロック可能な、半径方向外側に配置された凹部を備え、及び／又は圧縮可能付勢エレメントが、半径方向外側に配置されて、中空円筒状ネジエレメントの軸方向に延在するロックアームとの間に摩擦連結を生じ得る隆起部を備え、摩擦連結は解除可能であり、及び／又は圧縮可能付勢エレメントが、中空円筒状ネジエレメントに隣接する端面に設けた凹部を備え、中空円筒状ネジエレメントが、対応するリブを備え、それにより、圧縮可能付勢エレメントと中空円筒状ネジエレメントとの第一回転方向への相対回転をブロックし、圧縮可能付勢エレメントと中空円筒状ネジエレメントとの第一回転方向とは反対の第二回転方向への相対回転を防止する。
さらに本発明は、締結ボルトが既に第二部品に連結されている上記の迅速締結具を含む。
【０００９】
第一部品と第二部品とは、軸方向に作用する機械的付勢と組み合わせて、締結ボルトが圧縮可能付勢エレメントに螺合されることによって、互いに締結される。よって、圧縮可能付勢エレメントは、内部に締結ボルトを螺合可能な中空円筒状ネジエレメントを備える。圧縮可能付勢エレメントに対する中空円筒状ネジエレメントの所定回転角度の一巻きは、信頼性の高い第一部品と第二部品との連結を確実にする。この連結を永久的且つ高信頼性で維持するために、中空円筒状ネジエレメントと圧縮可能付勢エレメントとの間に構造的回転防止手段を設ける。さらに、第一部品を第二部品に締結する際の巻き戻り防止手段として、ネジエレメントと付勢エレメントとの間にこのような若しくは追加の回転防止手段を設けることが好ましい。本発明の別の実施態様によれば、ネジエレメントが付勢エレメントに過剰にきつくロックしたり螺合したりすることを防止する回転防止手段を、ネジエレメントと付勢エレメントとの間に設ける。これに関して、構造的回転防止手段という用語は、相対的に移動する部品、つまり中空円筒状ネジエレメントと圧縮可能付勢エレメントに、協働することによって回転防止を行う幾何学的形状が設けられることを意味する。このことから、セルフロッキングネジ若しくはセルフタッピングネジにおける摩擦条件のみに基づく回転防止を意味するわけではないということになる。
【００１０】
本発明によれば、構造的回転防止手段が、第一部品と第二部品との間の最終的連結状態を維持する。中空円筒状ネジエレメントのロックアームと圧縮可能付勢エレメントの凹部とのロックは、成された連結が、振動や他の環境の影響によって緩まないように担保する。さらに好ましくは、成されたロックが、第一部品と第二部品とを連結する間に迅速締結具が反転しないようにする。これは、ロックが同時に、中空円筒状ネジエレメントの回転締結方向に回転防止を行うためである。このように、互いに連結する部品に機械的応力がかからないようにする。
【００１１】
本発明によれば、圧縮可能付勢エレメントは、半径方向外側に配置されて、中空円筒状ネジエレメントの軸方向に延在するロックアームとの間に摩擦連結を生じ得る隆起部を備え、この摩擦連結は解除可能である。中空円筒状ネジエレメントの軸方向に延在するロックアームは、好ましくは付勢エレメントの外側に半径方向に隣接する。円筒状ネジエレメントの回転中、ロックアームは、付勢エレメントの半径方向外側面に対して移動する。付勢エレメントの半径方向外側に設けた半径方向隆起部によって、ロックアームの進行方向に障害物が入り込むことになるが、これは回転中により高いトルクによってのみ乗り越えることができる。半径方向外側に設けられた隆起部を乗り越えると、ネジエレメントは、例えば作業者や工具によって外すことができ、ロックアームと隆起部との摩擦係合は、中空円筒状ネジエレメントが取付け回転方向とは反対に巻き戻ることを防ぐ摩擦連結をなす。よって、この形式の構造的回転防止手段は、中空円筒状ネジエレメントと付勢エレメントとの間の相対的回転位置に対する中間的な巻き戻り防止手段を提供する。
【００１２】
本発明によれば、圧縮可能付勢エレメントは、中空円筒状ネジエレメントに隣接する端面に設けた凹部を備え、中空円筒状ネジエレメントは、対応するリブを備え、それにより圧縮可能付勢エレメントは、圧縮可能付勢エレメントと中空円筒状ネジエレメントとの第一回転方向への相対回転をブロックし、圧縮可能付勢エレメントと中空円筒状ネジエレメントとの第一回転方向とは反対の第二回転方向への相対回転を防止する。
【００１３】
本発明によれば、迅速締結具が、中空円筒状ネジエレメントが付勢エレメントにロックすることを防ぐ構造的回転防止手段を備える。このようなロックにより、中空円筒状ネジエレメントを付勢エレメントから外すことができなくなり、よって第一部品と第二部品とを連結することもできなくなる。このような回転防止手段は、軸方向に延在するロックアーム（上記参照）及び付勢エレメントの半径方向外縁に設けた対応する凹所若しくはロック溝によって、迅速締結具の初期位置つまり搬送位置に形成することができる。本発明によれば、隠れた構造的回転防止手段を設けることも好ましい。そのため、ロック連結は、付勢エレメントとネジエレメントの対向配置された端部間に配置される。この解除可能なロック連結若しくは構造的回転防止手段は、対向配置された端面にそれぞれ設けられる、ロック溝を有する突部若しくはリブの組み合わせによって形成される。この突部の形状により、ロックは、迅速締結具の取付け回転方向と反対には外れず、取付け回転方向には外れる。このように、中空円筒状ネジエレメントが付勢エレメント内に過度にきつく螺合することを防ぐことができる。
【００１４】
本発明のさらに好ましい実施態様によれば、中空円筒状ネジエレメントは、緩み防止手段として固定ディスクを備える。
【００１５】
本発明はさらに、少なくとも第一部品と第二部品とを迅速締結具、特に上述の迅速締結具によって連結する方法を開示する。本発明の連結方法は、第二部品に、第一螺旋方向の半径方向外側締結ネジを有する締結ボルトを設ける工程と、第一部品に貫通孔を設けて、第一螺旋方向とは逆の第二螺旋方向の付勢ネジを半径方向内側面に備える圧縮可能付勢エレメントを締結する工程と、締結ボルトを中空円筒状ネジエレメント内に螺合する工程とを含み、中空円筒状ネジエレメントは、駆動手段による回転によって第二部品を第一部品に締結し、構造的回転防止手段によって中空円筒状ネジエレメントを圧縮可能付勢エレメントにロックし、構造的回転防止手段として、圧縮可能付勢エレメントと中空円筒状ネジエレメントとの間に、第一部品と第二部品との締結状態を固定可能な、解除可能な留め機構を備え、中空円筒状ネジエレメントの軸方向に延在するロックアームが、前記圧縮可能付勢エレメントの半径方向外側に配置された凹部の内部にロックし、及び／又は中空円筒状ネジエレメントの軸方向延在ロックアームを、圧縮可能付勢エレメントの半径方向外側に配置された隆起部を越えて移動させ、ロックアームと隆起部とが、中空円筒状ネジエレメントの巻き戻りを防ぐ中空円筒状ネジエレメントのための回転戻り止めを提供し、及び／又は圧縮可能付勢エレメントが、中空円筒状ネジエレメントに隣接する端面に設けた凹部を備え、中空円筒状ネジエレメントが、対応するリブを備え、それにより、圧縮可能付勢エレメントと中空円筒状ネジエレメントとの第一回転方向への相対回転をブロックし、圧縮可能付勢エレメントと中空円筒状ネジエレメントとの第一回転方向とは反対の第二回転方向への相対回転を防止する。
【００１６】
本発明によれば、この連結方法は、付勢エレメントと中空円筒状ネジエレメントとの間に構造的回転防止手段使用することを特徴とする。第一部品と第二部品との間を迅速締結具によって連結すると、成された連結の維持及び信頼性を構造的回転防止手段が担保する。そのため、付勢エレメントと中空円筒状ネジエレメントとの間に、迅速締結具の締結状態を維持する構造的ロックが用いられる。
【００１７】
本発明によれば、中空円筒状ネジエレメントのロックアームと圧縮可能付勢エレメントの隆起部とが中空円筒状ネジエレメントの巻き戻りを防ぐ回転戻り止めとなるようにすることも好ましい。この回転戻り止めは、ネジエレメントが中空円筒状ネジエレメントの取付け回転方向に反して巻き戻るのを防ぐ。
【００１８】
本発明はさらに、上述の迅速締結具の製造方法を含み、この方法は、第一部品に締結可能で、第一螺旋方向とは反対の第二螺旋方向の付勢ネジを半径方向内側面に備える圧縮可能付勢エレメントを用意する工程と、半径方向外側面の雄ネジを圧縮可能付勢エレメントの付勢ネジ内に螺合可能で、内部に締結ボルトの締結ネジを螺合可能な雌ネジを半径方向内側面に有する駆動手段を備える中空円筒状ネジエレメントを製造する工程と、圧縮可能付勢エレメントと中空円筒状ネジエレメントとを連結し、中空円筒状ネジエレメントと圧縮可能付勢エレメントとの間に構造的回転防止手段を設ける工程とを含み、構造的回転防止手段はさらに、圧縮可能付勢エレメントに、半径方向外側に配置された凹部を設け、中空円筒状ネジエレメントに、軸方向に延在するロックアームを設け、互いにロックするようにすることによって設けられ、及び／又は圧縮可能付勢エレメントに、半径方向外側に配置されて、中空円筒状ネジエレメントの軸方向に延在するロックアームとの間に解除可能な摩擦連結を生じ得る隆起部を設けることによって設けられ、及び／又は圧縮可能付勢エレメントに、中空円筒状ネジエレメントに隣接する端面において凹部を設け、中空円筒状ネジエレメントに、対応するリブを設けることによって設けられ、それにより、圧縮可能付勢エレメントと中空円筒状ネジエレメントとの第一回転方向への相対回転をブロックし、圧縮可能付勢エレメントと中空円筒状ネジエレメントとの第一回転方向とは反対の第二回転方向への相対回転を防止する。
【００２０】
本発明を、添付図面を参照して以下に詳細に説明する。
【図面の簡単な説明】
【００２１】
【図１】図１は、本発明の迅速締結具の第一の好ましい実施態様である。
【図２】図２は、図１の迅速締結具の実施態様の分解図である。
【図３】図３は、第一部品の好ましい概略図である。
【図４】図４は、本発明の迅速締結具の好ましい実施態様を、第一部品に取り付ける前の位置で示す断面図である。
【図５】図５は、図４の迅速締結具の好ましい実施態様を、連結した状態で示す断面図である。
【図６】図６は、中空円筒状ネジエレメントの好ましい実施態様の頂面図である。
【図７】図７は、本発明の迅速締結具の好ましい実施態様を底部から見た軸方向図である。
【図８】図８は、本発明の迅速締結具の好ましい実施態様を搬送状態で示す斜視図である。
【図９】図９は、付勢エレメントの一部の好ましい実施態様を示す斜視図である。
【図１０】図１０は、中空円筒状ネジエレメントの好ましい実施態様の斜視図である。
【図１１】図１１は、本発明の連結方法の好ましい実施態様のフローチャートである。
【発明を実施するための形態】
【００２２】
本発明の迅速締結具１は、例えば図５に示すように、少なくとも第一部品Ａと第二部品Ｂとを互いに締結する役割を果たすものである。本発明の迅速締結具１の様々な好ましい実施態様を図１〜図１０に示す。言うまでもなく、図面及び明細書に示す迅速締結具１の特徴の組み合わせの各々は、その組み合わせとは別に、迅速締結具１に用いることができる。さらに、本発明の好ましい一実施態様の特徴を、他の好ましい実施態様と共に問題なく用いることもできる。
【００２３】
図１は、迅速締結具１の第一の好ましい実施態様を示し、その分解図を図２に示す。迅速締結具１は、第一の螺旋方向の締結ネジ１２を有する締結ボルト１０からなる。この締結ネジ１２は、迅速締結具１の他方の部品へ連結するために使用される（以下参照）。さらに締結ボルト１０は、連結端部１４を備える。本発明の好ましい実施態様によれば、この連結端部１４は、締結ボルト１０を部品Ｂに締結或いは固定するネジを備える（工程Ａ）。同様に、締結ボルトの連結端部１４を、バヨネットロック、スナップロック、若しくは部品Ｂとの接着連結を形成する接着端として形成することも好ましい。図２に示すように、連結端部１４は、締結ネジの方向にテーパーがかかったリブ付き締結部を備える。この連結端部１４は、部品Ｂに設けた開口内に圧入されて締結される。締結ボルト１０が回転しても、部品Ｂとの連結には影響はない。また好ましくは、締結ボルト１０は、停止面１８を有する先端１６を備える。先端１６は締結ネジ１２と共に、圧縮可能付勢エレメント３及び中空円筒状ネジエレメント６０の組み合わせ内にねじ込まれる（工程Ｃ）。好ましくは、締結ネジ１２は中空円筒状ネジエレメント６０の雌ネジに螺合する（以下参照）。
【００２４】
本発明の好ましい実施態様によれば、圧縮可能付勢エレメント３は、中央に位置するバネ４０と、それに軸方向に対向して支承されるガイドエレメント５０及び固定エレメント２０を備える。本発明の別の好ましい実施態様によれば、バネ４０は、コイルバネ（図２参照）、複数の円板バネ（図示せず）、若しくは軸方向に圧縮可能で軸方向貫通孔を有するその他のバネ構造からなる。
【００２５】
上述の部品２０、４０、５０からなる圧縮可能付勢エレメント３の機能を確保するために、バネ４０の好ましいバネ定数Ｋ４０は２０Ｎ／ｍｍ≦Ｋ４０≦５０Ｎ／ｍｍ、好ましくは３０Ｎ／ｍｍ≦Ｋ４０≦４０Ｎ／ｍｍ、さらに好ましくは３４Ｎ／ｍｍ≦Ｋ４０≦３８Ｎ／ｍｍである。第一の好ましい実施態様によれば、コイルバネのバネ定数Ｋ４０は４０Ｎ／ｍｍである。コイルバネ４０のバネ定数Ｋ４０を３７．５Ｎ／ｍｍとしても好ましい。バネ４０は、固定エレメント２０とガイドエレメント５０との間に圧縮状態で保持される。固定エレメント２０及びガイドエレメント５０は、互いに不可分且つ相対的に可動に連結される。そのため、対向する半径方向内方突部２２及び周縁突部５２が、隣接する突部５２、２２が乗り越えられないアンダーカットを形成する。さらに好ましくは、半径方向内方に突出するウェブ２４は、軸方向に延在する直線状ガイド５４内、好ましくは溝若しくは窪み内に配置される。ウェブ２４が固定エレメント２２に配置され、直線状ガイド５４がガイドエレメント５０に配置されるが、ウェブ２４をガイドエレメント５０に配置し、直線状ガイド５４を固定エレメント２０に配置することも好ましい。圧縮可能付勢エレメント３がバネ４０の力に抗して軸方向に圧縮されると、固定エレメント２０とガイドエレメント５０とが互いに向かって移動する。圧縮可能付勢エレメント３にかかる負荷を除くと、バネ４０の力によって、固定エレメント２０とガイドエレメント５０とが互いから離れるように移動し、突部２２及び５２がさらなる移動を阻止するまで移動する。この時、バネ４０は少なくとも部分的に緩んでいる。
【００２６】
ガイドエレメント５０は、ガイドエレメント５０を第一部品Ａに連結可能な連結部５６を備える（工程Ｂ）。好ましい実施態様によれば、連結部５６は、少なくとも一つ、好ましくは二つの半径方向外方に突出するウェブ４８を有するバヨネットロックであり、第一部品Ａの鍵穴Ｓ（図３参照）内に締結可能である。連結部５６は、ネジ接続若しくはロック接続として形成してもよい。
【００２７】
ガイドエレメント５０及び固定エレメント２０は、バネ４０を収容する空洞を形成する。付勢エレメント３の半径方向外側の境界は、固定エレメント２０とガイドエレメント５０の軸方向に延在する周囲壁２４、５４によって形成される。固定エレメント２０及びガイドエレメント５０は軸方向中央貫通孔を有し、固定エレメント２０の貫通孔は、固定エレメント２０内部へ軸方向内方に突出するフランジ２６によって形成される。
【００２８】
フランジ２６は、半径方向内側面に第二の螺旋方向のネジ２８を有する。ネジ２８の第二の螺旋方向は、締結ボルト１０の締結ネジの第一の螺旋方向とは反対方向である。ネジ２８は、好ましくは標準ネジとして形成され、ロックネジを用いることもできる。
【００２９】
中空円筒状ネジエレメント６０はフランジ内に配置される。ネジエレメント６０は、半径方向外側に設けられた雄ネジ６２と、半径方向内側に設けられた雌ネジ６４とを有する。締結ボルト１０の締結ネジ１２は、中空円筒状ネジエレメント６０の雌ネジ６４に螺合する。よって雌ネジ６４の螺旋方向は、締結ネジ１２と同じ方向である。
【００３０】
中空円筒状ネジエレメント６０の雄ネジ６２は、固定エレメント２０のフランジ２６の半径方向内側面のネジ２８と協働する。よって雄ネジ６２は、雌ネジ６４とは逆の螺旋方向となっている。ネジ２８から雄ネジ６２が抜け落ちないように、中空円筒状ネジエレメント６０は固定ディスク６３を備えている。固定ディスク６３は、好ましくは超音波溶着によってネジ６２の端部に固定され、ネジ６２を半径方向に越えて延在する。
【００３１】
締結ボルト１０を部品Ｂに連結し、圧縮可能付勢エレメント３を連結部５６を介して部品Ａに連結したら、中空円筒状ネジエレメント６０によって、締結ボルト１０と圧縮可能付勢エレメント３とを互いに連結する。まず、迅速締結具１は、図４に例示的に示すように、締結ボルト１０のない、開始位置にある。好ましい第一の方法の変更例によれば、締結ネジ１２を雌ネジ６４に螺合する。好ましくは、雌ネジ６４は止まり穴に設けられている。よって、本発明の連結方法の一実施態様によれば、締結ボルト１０を、停止面１８が止まり穴の底部に当接するまで、中空円筒状ネジエレメント６０内に螺挿する。次いで、ネジエレメント６０を、駆動手段６６、好ましくは翼部材を介して、取付け方向Ｉに回転させる。この取付け方向Ｉはネジ２８及び雄ネジ６２の螺旋方向とは逆方向なので、中空円筒状ネジエレメント６０を取付け方向Ｉに回転させると、ネジエレメント６０は固定エレメント２０のフランジ２６から回し外される。中空円筒状ネジエレメント６０は、部品Ａからの軸方向位置が固定されているか若しくは僅かに変位可能に過ぎないので、中空円筒形ネジエレメント６０を取付け方向Ｉに回転させると、固定エレメント２０が部品Ａの方向に移動する（図４、図５参照）。その結果、固定エレメント２０はガイドエレメント５０に向かって軸方向に移動し、それによりバネ４０が圧縮される。圧縮されたバネ４０（図５参照）は接触力を生じ、よって締結ネジ１２のフランクと雌ネジ６４との間、並びに雄ネジ６２とネジ２８との間の摩擦力を生じる。このように生じた接触力は例えばウェーブスプリングの接触力よりも大きいので、中空円筒状ネジエレメント６０と固定エレメント２０及び／又は締結ボルト１０の間の無用な回転を防ぐことができる。
【００３２】
さらに別の好ましい方法によれば、図４に示す迅速締結具１の初期位置において、締結ボルト１０をガイドエレメント５０の中央開口内に挿入する。この位置において、締結ネジ１２と雌ネジ６４とが隣接し、係合の準備が整う。締結ボルト１０と中空円筒状ネジエレメント６０とを、締結ネジ１２及び雌ネジ６４の方向に相対的に回転させるとすぐに、締結ボルト１０は雌ネジ６４に螺入し、中空円筒状ネジエレメント６０は固定エレメント２０のフランジ２６のネジ２８から回し外される。このように、部品Ａと部品Ｂとは締結のために互いに近づく方向に移動される。さらに中空円筒状ネジエレメント６０を回転させると、バネ４０が固定エレメント２０とガイドエレメント５０との間で圧縮される。これによって生じるバネ張力は部品Ａ及びＢに伝達され、二者間に圧縮応力がはたらく。バネ４０の上述した好ましいバネ定数では、例えばウェーブスプリングよりもバネ張力が大きいため、ネジのフランク間により高い接触圧力が生じ、よってこの領域により高い付着摩擦が生じる。この静止摩擦は、迅速締結具１が回転により緩むことに対抗する。
【００３３】
好ましくは、締結ネジ１２、雌ネジ６４、ネジ２８、雄ネジ６２のピッチは一巻き当たり２．５〜４．５ｍｍ、好ましくは３〜４ｍｍであり、さらに好ましくは３．５ｍｍである。このネジのピッチにより、部品Ａと部品Ｂとを締結するのに、作業者が中空円筒状ネジエレメント６０を手動若しくは自動的に回転させる回転角度γが、９０°≦γ≦７２０°、好ましくは９０°≦γ≦３６０°、さらに好ましくは９０°≦γ≦３２０°で済むようになる。
【００３４】
迅速締結具１によって二つの部品ＡとＢとを連結するために、中空円筒状ネジエレメント６０は駆動手段６６、６８によって回転される。好ましくは、中空円筒状ネジエレメント６０は、好ましくは翼構造の形態である手動操作可能な駆動手段６６を備える（図４、図５、図６、図８参照）。対向配置され、半径方向に指向している翼６６は、好ましくは半径方向に固定エレメント２０の外縁を越えて延在する。この長手方向の延在により、羽根６６によって、中空円筒状ネジエレメント６０をより楽に回転させることができるような充分に長いてこの腕が提供される。
【００３５】
手動駆動手段６６のさらに好ましい実施態様では、図６に概略的に示すように人間工学的に設計される。翼６６は延長部において半径方向内方にテーパーし、半径方向外方端部分において、長手方向延在に対して直角方向に最も広い幅Ｂ６６を有する。さらに好ましくは、翼６６は耳たぶのように曲線的に形成される。この形状によって、翼６６の形状が作業者の手になじみ、中空円筒状ネジエレメント６０を楽に手動回転させることができる。
【００３６】
さらに好ましくは、中空円筒状ネジエレメント６０は、工具で回転させることができるように機械的駆動手段６８を備える。例示的な図４、図６、及び図８において、駆動手段６８はネジ回し用の溝として設計されている。ここで、正方形、六角形、トルクス(Torx)（登録商標）形状等の開口部も同様に考えられる。また同様に、外形輪郭が正方形、六角形、トルクス（登録商標）形状等の軸方向突出部も使用可能である。
【００３７】
本発明の固定エレメント２０はさらに、少なくとも一つの構造的回転防止手段３０、３４、３６を備える。この構造的回転防止手段３０、３４、３６は、互いに当接する表面同士の付着だけに頼らない回転防止を行うために、協働する幾何学的部品からなる。
【００３８】
第一回転防止手段３０は、好ましくは周囲に配置された係合領域若しくは係合凹部３１からなり、ここに軸方向に延在するロックアーム７０が係合する。軸方向ロックアーム７０は、中空円筒状ネジエレメント６０に連結され、その回転に従う。このために、駆動手段６６とネジ６２、６４との間に配置される平面的中間エレメント６１を用いることが好ましい。この平面的中間エレメント６１は好ましくは円形であるが、他の形状でも同じ目的を果たすことができる。さらなる変更例（図示せず）によれば、角度付きウェブの形態であるロックアーム７０が、平面的中間エレメント６１無しで、駆動手段６６、６８に直接係合する。
【００３９】
作業者が中空円筒状ネジエレメント６０を部品Ａ、Ｂの締結位置へと手動若しくは機械的に回転させると、ロックアーム７０が係合凹部３１に係合する（工程Ｆ）。本発明の好ましい実施態様によれば、係合領域３１は、ロックアーム７０の周方向幅を越える幅に亘って周方向に延在する。これにより、部品Ａ、Ｂを締結するために、ロックアーム７０が係合領域３１内で様々な位置を取ることができるようにする。好ましくは、係合領域３１の周方向幅は、ロックアーム７０の周方向幅の２〜０．５倍、好ましくは１．７５〜１倍である。
【００４０】
係合領域３１の境界は、好ましくはロックアーム７０の緩みトルクによってのみ乗り越えられる、両側に配置された半径方向に突出するウェブ３２によって形成される。好ましくは、係合領域３１は９０°〜１２０°の角度αでウェブ３２に移行する。さらに好ましくは、ウェブ３２の少なくとも一方は、斜めの傾斜面３３を介して固定エレメント２０の半径方向外側周壁２４に移行する。これにより、中空円筒状ネジエレメント３０が少なくとも取付け方向Ｉに回転している間は、軸方向ロックアーム７０は傾斜面３３上をスライドし、係合領域３１に係合若しくはスナップ嵌合する。
【００４１】
作業者は、締結工程中にロックアーム７０が係合領域３１に係合したことを知覚できる。二つの部品Ａ、Ｂを締結するための工具を使用しても、ロックアーム７０の移動がウェブ３２でブロックされることによって生じるトルクの増加は、この工具で検知される。よって係合領域３１へのロックアーム７０の係合は、迅速締結具１の有利な締結位置に到達したことを知らせる合図である。さらにロックアーム７０は、係合領域３１と嵌め合い及び／又は圧力嵌めを形成して、連結Ａ、Ｂが緩むのを防ぐ。
【００４２】
好ましくは、迅速連結具１、よって部品Ａ、Ｂ間の連結は、中空円筒状ネジエレメント６０に対して取付け方向Ｉとは反対方向に緩みトルクをかけることによって解除することができる。この解除を支援すると共にロックアーム７０の破損を防ぐために、ロックアーム７０の横断面には、半径方向内方に突出する面取り部７２が設けられる。この面取り部７２は頂点で互いに接触して、１７０°〜１００°、好ましくは１５０°〜１００°、最も好ましくは１２０°の角度をなす。ロックアーム７０に面取り部７２を設けないことも好ましい。
【００４３】
ロックアーム７０が係合領域３１に係合していない場合は、ロックアームの半径方向内側面は周壁２４の半径方向外側面に沿ってスライドする。作業者は、特に手動で締結を行う際には少なくとも一度は部品Ａ、Ｂをつかむ必要があるので、このつかむ位置では、駆動手段６６は作業者に保持されていない。よって、中空円筒状バネエレメント６０が取付け方向Ｉとは逆に回転してしまって迅速締結具１が緩んでしまう危険性がある。これを防いで迅速締結具１の取付けを簡単にするために、好ましくは初期位置つまり搬送位置と締結位置との間の移行領域にさらに回転防止手段３４を設ける。好ましくは回転防止手段３４は、締結位置から１６０°〜２００°、好ましくは１７０°〜１９０°の回転角度だけ離間している。この回転角度は、係合領域３１の中央と隆起部３４の頂点との間で測定する。
【００４４】
回転防止手段３４はさらに、周壁２４から半径方向に突出してロックアーム７０と協働する隆起部３５によって形成される。この隆起部３５は、波形状若しくは軸方向ウェブからなってもよい。中空円筒状ネジエレメント６０を取付け方向Ｉに回転させると、ロックアーム７０は隆起部３４上を通ってスライドするが、このことはねじ込みトルクが一時的に増加することによって感知できる。隆起部３５を乗り越えると（工程Ｅ）、作業者は手動駆動手段６６を操作して回転を続ける。回転中に中空円筒状ネジエレメント６０に復元トルクが作用しても、取付け方向Ｉと反対のこの反転は、ロックアーム７０と協働する隆起部３５におけるさらなる回転防止手段３４によってブロックされる。このために、隆起部３５は、取付け方向に回転される場合には、ロックアーム７０が乗り越えられるが、中空円筒状ネジエレメント６０が非制御下で戻り回転するような場合には、回転をブロックするのに充分なトルクを生むような半径方向高さで形成される。
【００４５】
さらに好ましくは、迅速締結具１は、固定エレメント２０と中空円筒状ネジエレメント６０とがロックするのを防止する、追加の回転防止手段３６を備える。同様に、この回転防止手段３６が迅速締結具１の搬送安全装置であることも好ましい。このことから、部品Ａ、Ｂを連結する際に、作業者は好ましくはまず搬送安全装置を外す（工程Ｄ）。
【００４６】
追加の回転防止手段３６は、固定エレメント２０の軸方向端面に設けた凹部３７と、中間エレメント６１の下面から軸方向に突出するリブ６９とによって形成される。凹部３６を中間エレメント６１に、リブ６９を固定エレメント２０に、それぞれ設けてもよい。好ましくは、リブ６９は、ロックアーム７０の周方向位置近くに配置される。
【００４７】
中空円筒状ネジエレメント６０が初期位置つまり搬送位置にくると、リブ６９は凹部３６に係合する。これにより、中空円筒状ネジエレメント６０は固定エレメント２０に着脱可能に締結される。取付け方向Ｉと反対に初期位置を越えて回転することを防止するために、リブ６９は、好ましくは取付け方向Ｉに対して直角をなすブロック面を有する。追加の回転防止手段３６を取付け方向Ｉに緩めるのを容易にするために、好ましくはリブ６９に対応する面取り斜面を設ける。リブ６９の代わりに、凹部３７は対応するデザインや形状を備えていてもよいことは明らかである。
【符号の説明】
【００４８】
Ａ、Ｂ  部品
１      迅速締結具
３      圧縮可能付勢エレメント
１０      締結ボルト
１２      第一螺旋方向の締結ネジ
１４      連結端
１４Ｇ    ネジ
１６      先端
１８      停止面
２０      固定エレメント
２２      半径方向内方突部
２４      周壁
２６      フランジ
２８      第二螺旋方向のネジ
３０、３４、３６    回転防止手段
３１      係合領域
３２      ウェブ
３３      面取り傾斜面
３５      隆起部
３７      凹部
４０      バネ、コイルバネ
５０      ガイドエレメント
５２      半径方向周縁突部
５４      周壁
５５      直線状ガイド
５６      連結部
５８      中央開口
６０      中空円筒状ネジエレメント
６１      中間エレメント
６２      雄ネジ
６３      固定ディスク
６４      雌ネジ
６６      手動駆動手段
６８      機械的駆動手段
６９      リブ
７０      ロックアーム
Ｋ４０      バネ定数
Ｓ      鍵穴
Ｂ６６      翼幅
【図１】
0006578358.tif 000002
【図２】
0006578358.tif 000003
【図３】
0006578358.tif 000004
【図４】
0006578358.tif 000005
【図５】
0006578358.tif 000006
【図６】
0006578358.tif 000007
【図７】
0006578358.tif 000008
【図８】
0006578358.tif 000009
【図９】
0006578358.tif 000010
【図１０】
0006578358.tif 000011
【図１１】
0006578358.tif 000012